(57)【要約】【課題】レンズ鏡胴に装着された状態でその可動筒を繰り出すための操作が為された場合であっても、可動筒に傷をつけてしまったりレンズ鏡胴における駆動部分に負荷をかけてしまったりすることを防止するレンズキャップを提供する。【解決手段】光軸（ＯＡ）方向にレンズを移動させる可動筒（３２、３３）と、その可動筒を収納する収納部（３１）と、を備えたレンズ鏡胴１３に装着されるレンズキャップ５０である。可動筒が収納部に収納された状態における収納部へ装着するための装着部（５１）と、収納部に装着されたことを検出する検出部（４０）と、を備える。【選択図】図６
2013061519.tif 000002
【特許請求の範囲】
【請求項１】
光軸方向にレンズを移動させる可動筒と、該可動筒を収納する収納部と、を備えたレンズ鏡胴に装着されるレンズキャップであって、
前記可動筒が前記収納部に収納された状態における該収納部へ装着するための装着部と、
前記収納部に装着されたことを検出する検出部と、を備えることを特徴とするレンズキャップ。
【請求項２】
前記検出部は、電気的な接点であるレンズキャップ側接点からなり、
前記収納部には、電気的な接点であり前記レンズキャップ側接点に対応する収納部側接点が設けられ、
前記レンズキャップ側接点と前記収納部側接点とが電気的に接続することで、前記収納部への装着を検出することを特徴とする請求項１に記載のレンズキャップ。
【請求項３】
前記レンズキャップ側接点は、少なくとも第１接点と第２接点とを有し、
前記収納部側接点は、前記第１接点と電気的に接続する第３接点と、前記第２接点と電気的に接続する第４接点とを有し、
前記第１接点と前記第２接点とは、前記レンズキャップ内において電気的に導通していることを特徴とする請求項１または請求項２に記載のレンズキャップ。
【請求項４】
請求項３に記載のレンズキャップであって、
さらに、前記レンズを覆うための前端部を備え、
該前端部は、導電性を有する金属により構成され、
前記第１接点と前記前端部とが導通し、前記第２接点と前記前端部とが導通することにより、前記第１接点と前記第２接点とが電気的に導通していることを特徴とするレンズキャップ。
【請求項５】
前記収納部は、前記レンズ鏡胴の固定筒であり、
前記装着部は、前記固定筒に装着されることを特徴とする請求項１から請求項４のいずれか１項に記載のレンズキャップ。
【請求項６】
前記装着部は、前記固定筒に設けられた鏡胴側連結部との連結およびその解除が可能とされたキャップ側連結部であり、
該キャップ側連結部は、前記鏡胴側連結部との協働により、相対的な回転により双方の爪部分が引っ掛かることで連結可能なバヨネット式の装着機構を構成することを特徴とする請求項５に記載のレンズキャップ。
【請求項７】
請求項１から請求項６のいずれか１項に記載のレンズキャップを装着する撮像装置であって、
前記レンズ鏡筒を備え、
該レンズ鏡筒を収納状態から繰り出す際、前記レンズキャップが装着されているか否かの判断を行い、前記レンズキャップが装着されていなければ、前記可動筒の光軸方向への移動を行い、前記レンズキャップが装着されていれば、前記可動筒の光軸方向への移動を行わないことを特徴とする撮像装置。
【請求項８】
請求項２から請求項６のいずれか１項に記載のレンズキャップを装着する撮像装置であって、
前記レンズ鏡筒を備え、
該レンズ鏡筒を収納状態から繰り出す際、前記収納部側接点と前記レンズキャップ側接点とが接続されていなければ、前記可動筒の光軸方向への移動を行い、前記収納部側接点と前記レンズキャップ側接点とが接続されていれば、前記可動筒の光軸方向への移動を行わないことを特徴とする撮像装置。
【請求項９】
請求項１から請求項６のいずれか１項に記載のレンズキャップを装着する撮像装置であって、
前記レンズ鏡筒を備え、
該レンズ鏡筒が収納状態の際、前記レンズキャップが装着されているか否かの検出を定期的に行い、
前記レンズ鏡筒を収納状態から繰り出す際、直近の検出結果に基づき、前記レンズキャップが装着されていなければ、前記可動筒の光軸方向への移動を行い、前記レンズキャップが装着されていれば、前記可動筒の光軸方向への移動を行わないことを特徴とする撮像装置。
【請求項１０】
請求項２から請求項６のいずれか１項に記載のレンズキャップを装着する撮像装置であって、
前記レンズ鏡筒を備え、
該レンズ鏡筒が収納状態の際、前記収納部側接点と前記レンズキャップ側接点とが接続されているか否かの検出を定期的に行い、
前記レンズ鏡筒を収納状態から繰り出す際、直近の検出結果に基づき、前記収納部側接点と前記レンズキャップ側接点とが接続されていなければ前記可動筒の光軸方向への移動を行い、前記収納部側接点と前記レンズキャップ側接点とが接続されていれば前記可動筒の光軸方向への移動を行わないことを特徴とする撮像装置。
【請求項１１】
請求項７から請求項１０のいずれか１項に記載の撮像装置であって、
さらに、表示部を備え、
前記レンズ鏡筒を収納状態から繰り出す際、前記レンズキャップが装着されていると判断した場合に、前記表示部で警告表示を行うことを特徴とする撮像装置。
【請求項１２】
請求項１から請求項６のいずれか１項に記載のレンズキャップと、前記レンズ鏡胴を有する撮像装置と、を備える撮像装置システムであって、
前記レンズ鏡筒を収納状態から繰り出す際、前記レンズキャップが装着されているか否かの判断を行い、前記レンズキャップが装着されていなければ、前記可動筒の光軸方向への移動を行い、前記レンズキャップが装着されていれば、前記可動筒の光軸方向への移動を行わないことを特徴とする撮像装置システム。
【請求項１３】
請求項２から請求項６のいずれか１項に記載のレンズキャップと、前記レンズ鏡胴を有する撮像装置と、を備える撮像装置システムであって、
前記レンズ鏡筒を収納状態から繰り出す際、前記収納部側接点と前記レンズキャップ側接点とが接続されていなければ、前記可動筒の光軸方向への移動を行い、前記収納部側接点と前記レンズキャップ側接点とが接続されていれば、前記可動筒の光軸方向への移動を行わないことを特徴とする撮像装置システム。
【請求項１４】
請求項１から請求項６のいずれか１項に記載のレンズキャップと、前記レンズ鏡胴を有する撮像装置と、を備える撮像装置システムであって、
前記レンズ鏡筒が収納状態の際、前記レンズキャップが装着されているか否かの検出を定期的に行い、
前記レンズ鏡筒を収納状態から繰り出す際、直近の検出結果に基づき、前記レンズキャップが装着されていなければ、前記可動筒の光軸方向への移動を行い、前記レンズキャップが装着されていれば、前記可動筒の光軸方向への移動を行わないことを特徴とする撮像装置システム。
【請求項１５】
請求項２から請求項６のいずれか１項に記載のレンズキャップと、前記レンズ鏡胴を有する撮像装置と、を備える撮像装置システムであって、
前記レンズ鏡筒が収納状態の際、前記収納部側接点と前記レンズキャップ側接点とが接続されているか否かの検出を定期的に行い、
前記レンズ鏡筒を収納状態から繰り出す際、直近の検出結果に基づき、前記収納部側接点と前記レンズキャップ側接点とが接続されていないと検出した場合は前記可動筒の光軸方向への移動を行い、前記収納部側接点と前記レンズキャップ側接点とが接続されていると検出した場合は、前記可動筒の光軸方向への移動を行わないことを特徴とする撮像装置システム。
【請求項１６】
請求項１２から請求項１５のいずれか１項に記載の撮像装置システムであって、
さらに、表示部を備え、
前記レンズ鏡筒を収納状態から繰り出す際、前記レンズキャップが装着されていると判断した場合に、前記表示部で警告表示を行うことを特徴とする撮像装置システム。
【発明の詳細な説明】
【技術分野】
【０００１】
本発明は、レンズ鏡胴を保護するためのレンズキャップに関する。
【背景技術】
【０００２】
従来、デジタルスチルカメラやデジタルビデオカメラ（以下、「デジタルカメラ」という）等の撮影装置では、少なくとも１つ以上のレンズを保持する可動筒が収納部としての固定筒の内方に設けられ、固定筒内から適宜繰り出すことと、固定筒内に収納することと、を行うレンズ鏡胴を用いるものがある。このようなレンズ鏡胴には、可動筒の収納時に固定筒にレンズキャップが着脱され、レンズキャップを装着することによりレンズ鏡胴、特にその可動筒に設けられたレンズを保護することが知られている。このようなレンズキャップでは、レンズ鏡胴に装着された状態において、可動筒が固定筒内から繰り出されると、その可動筒と干渉してしまうことから、可動筒に傷をつけてしまったり、レンズ鏡胴から脱落してしまったり、レンズ鏡胴における駆動部分に負荷をかけてしまったりする虞がある。特に、レンズキャップでは、高級感を醸し出す観点から金属製のものが好まれるが、金属製であると可動筒に傷をつけてしまったり、レンズ鏡胴における駆動部分に負荷をかけてしまったりする可能性が高まってしまう。
【０００３】
このため、レンズキャップでは、レンズ鏡胴に装着した状態で、可動筒の突起と固定筒の突起とに挟まれる係合取付部を設けることが考えられている（特許文献１参照）。このレンズキャップでは、レンズ鏡胴に装着された状態で、可動筒が固定筒内から繰り出されると、係合取付部が可動筒の突起と固定筒の突起とに挟まれることにより、可動筒がそれ以上繰り出されることを防止するとともに、レンズキャップ自身がレンズ鏡胴から脱落することを防止することができる。
【発明の概要】
【発明が解決しようとする課題】
【０００４】
しかしながら、上記したレンズキャップでは、可動筒の突起に接触することを前提とするものであることから、可動筒に傷をつけてしまったり、レンズ鏡胴における駆動部分に負荷をかけてしまったりする虞を解消する観点から改良の余地がある。
【０００５】
本発明は、上記の事情に鑑みて為されたもので、レンズ鏡胴に装着された状態でその可動筒を繰り出すための操作が為された場合であっても、可動筒に傷をつけてしまったりレンズ鏡胴における駆動部分に負荷をかけてしまったりすることを防止するレンズキャップを提供することを目的とする。
【課題を解決するための手段】
【０００６】
請求項１に記載のレンズキャップは、光軸方向にレンズを移動させる可動筒と、該可動筒を収納する収納部と、を備えたレンズ鏡胴に装着されるレンズキャップであって、前記可動筒が前記収納部に収納された状態における該収納部へ装着するための装着部と、前記収納部に装着されたことを検出する検出部と、を備えることを特徴とする。
【発明の効果】
【０００７】
請求項１に記載のレンズキャップでは、レンズ鏡胴に装着された状態でその可動筒を繰り出すための操作が為された場合であっても、可動筒に傷をつけてしまったりレンズ鏡胴における駆動部分に負荷をかけてしまったりすることを防止することができる。
【図面の簡単な説明】
【０００８】
【図１】本発明に係る撮像装置の一例としてのデジタルカメラ１０を示す正面図である。
【図２】デジタルカメラ１０（そのレンズ鏡胴１３）にレンズキャップ５０を装着した状態を示す斜視図である。
【図３】デジタルカメラ１０における制御ブロックを示す説明図である。
【図４】デジタルカメラ１０におけるレンズ鏡胴１３の状態の変化の様子を示す説明図であり、（ａ）は可動筒（回転筒３２および直進筒３３）を固定筒３１内に収納された沈胴位置を示し、（ｂ）は可動筒が固定筒３１から進出された撮影待機位置を示す。
【図５】装着検知部４０の構成を概略的に示す説明図である。
【図６】レンズキャップ５０を示す説明図であり、（ａ）は斜視図で示し、（ｂ）は（ａ）に示す矢印Ａ１から見た様子を部分断面図で示す。
【図７】図６（ａ）のＩ−Ｉ線に沿って得られた模式的な断面図である。
【図８】図６（ｂ）のII−II線に沿って得られた模式的な断面図である。
【図９】図７と同様の断面図にレンズ鏡胴１３を加えた説明図である。
【図１０】デジタルカメラ１０の動作を統括的に制御する制御部２１における検出報知の制御処理の内容の一例を示すフローチャートである。
【図１１】表示部２４に、装着状態である旨の文章を表示させる（警告表示）ことにより、装着状態である旨の報知を行っている様子を示す説明図である。
【図１２】デジタルカメラ１０の動作を統括的に制御する制御部２１における検出報知の制御処理の内容の他の例を示すフローチャートである。
【図１３】本発明である撮像装置に装着して使用するレンズキャップ５０を示す正面図である。このレンズキャップ５０は、図２に示すように、レンズ鏡胴が収納された状態において装着され、レンズ鏡胴およびレンズを保護する。
【図１４】図１３を基準とする背面図であり、キャップ側連結部５１の筒状部分５３、そこに設けられた内縁突起部分５４、３つの爪部分５５、および端子取付部分５６を実線で示すとともにそれ以外を破線で示している。
【図１５】図１３を基準とする左側面図である。
【図１６】図１３を基準とする右側面図である。
【図１７】図１３を基準とする平面図である。
【図１８】図１３を基準とする底面図である。
【図１９】図１４に示すＡ−Ａ線に沿って得られた断面図である。
【図２０】図１３を基準とする背面側から見たレンズキャップ５０を示す斜視図である。
【図２１】図１３を基準とする背面側であって図２０とは異なる方向から見たレンズキャップ５０を示す斜視図である。
【発明を実施するための形態】
【０００９】
以下に、本願発明に係るレンズキャップ、そのレンズキャップが装着される撮像装置、およびそのレンズキャップと撮像装置とを備える撮像装置システムの実施例について図面を参照しつつ説明する。
【実施例】
【００１０】
本発明に係るレンズキャップの一実施例としてのレンズキャップ５０およびそれが装着される撮像装置の一実施例としてのデジタルカメラ１０の概略的な構成を、図１から図１１を用いて説明する。
【００１１】
まず、レンズ鏡胴１３を有する撮像装置の一例としてのデジタルカメラ１０を、図１から図４を用いて説明する。デジタルカメラ１０は、図１および図２に示すように、筐体１１の前面（図１を正面視して手前側の面）側に撮影光学系１２（図４（ｂ）参照）を有するレンズ鏡胴１３が設けられている。この撮影光学系１２は、最も被写体側に配置される対物レンズ３４（図４（ｂ）参照）や、図示は略すが、固定レンズ、ズームレンズ、シャッタユニットおよび絞りユニット等の複数の光学部材を備える。レンズ鏡胴１３は、撮影光学系１２の光軸（以下、撮影光軸ＯＡ（図４参照）ともいう）に沿って、所定の収納位置（図４（ａ）参照）と所定の撮影待機位置（図４（ｂ）参照）との間で進退移動（繰り出しおよび繰り入れ）可能とされている。なお、図４では、理解容易のために、筐体１１およびレンズ鏡胴１３の構成を簡略化して示している。
【００１２】
筐体１１では、上面（図１を正面視して上側の面）に、操作部としての電源ボタン１４（図２参照）、レリーズボタン１５、モード切替ダイアル１６が設けられている。電源ボタン１４は、デジタルカメラ１０を起動するための操作（起動操作）と、デジタルカメラ１０を停止するための操作（停止操作）と、をするものである。レリーズボタン１５は、被写体を撮影する際に押し下げる押下操作部材である。モード切替ダイアル１６は、各種のシーンモード、静止画モード、動画モード等を設定するものである。また、筐体１１の背面には、表示部２４（その表示面）やその他の操作スイッチ１７が設けられている（図１１参照）。この表示部２４は、撮像された画像データや記録媒体に記録された画像データに基づき画像を表示する。また、操作スイッチ１７は、各メニュー等の設定のための方向指示用スイッチや各種スイッチである。
【００１３】
デジタルカメラ１０では、レリーズボタン１５の押下操作により、撮影光学系１２を通して後述する撮像素子２２（図３参照）の受光面に受光した被写体像の画像データが記録処理される。図１および図２に示すデジタルカメラ１０は、電源オフ時（電源ボタン１４がＯＦＦ状態）であって、撮影光学系１２（後述する可動筒）が後述する固定筒３１（収納部）内の収納位置とされている。また、図４（ｂ）に示すデジタルカメラ１０は、電源オン時（電源ボタン１４がＯＮ状態）であって、撮影光学系１２（後述する可動筒）が後述する固定筒３１（収納部）から撮影光軸ＯＡ方向に繰り出された撮影待機位置とされている。
【００１４】
このデジタルカメラ１０は、図３に示すように、制御部２１と、撮像素子２２と、レンズ鏡胴駆動ユニット２３と、表示部２４と、装着検知部４０と、を有する。制御部２１は、操作部としての電源ボタン１４、レリーズボタン１５、モード切替ダイアル１６および操作スイッチ１７に為された操作に基づく駆動処理や、撮像素子２２からの信号に基づく画像データの生成処理や、レンズ鏡胴駆動ユニット２３および表示部２４の駆動等の制御を、記憶部２１ａに格納されたプログラムにより統括的に行う。制御部２１は、撮影光学系１２を経て撮像素子２２で画像を取得し、その画像を筐体１１の後面側に設けられた表示部２４に適宜表示させる。また、制御部２１には、装着検知部４０から検出信号が入力される。
【００１５】
撮像素子２２は、ＣＣＤイメージセンサやＣＭＯＳイメージセンサ等の固体撮像素子で構成されており、撮影光学系１２を通して受光面（図示せず）上に結像された被写体像を電気信号（画像データ）に変換して出力する。その出力された電気信号（画像データ）は、制御部２１へと伝送される。
【００１６】
レンズ鏡胴駆動ユニット２３は、レンズ鏡胴１３を収納位置（図４（ａ）参照）と撮影待機位置（図４（ｂ）参照）とで移行すべく、後述するように固定筒３１に対して可動筒（回転筒３２および直進筒３３）を移動させることにより、撮影光学系１２の各光学部材を各々支持する光学部材保持枠（図示せず）を移動させる。
【００１７】
そのレンズ鏡胴１３は、撮影光学系１２の対物レンズ３４を含む各光学部材を撮影光軸ＯＡ方向に移動可能に保持する。レンズ鏡胴１３は、図１および図４に示すように、固定筒３１と、回転筒３２と、直進筒３３と、を備える。その固定筒３１は、図示は略すが筐体１１の内方に固定されて設けられるベース板に一体的に形成されている。この固定筒３１の内周面には、図示は略すが、軸方向に沿う直進溝や、軸を取り巻いて伸びるカム溝が形成されている。その直進溝には、図示は略すが後述するライナーのキー部が干渉可能に挿通され、そのカム溝には、回転筒３２のカムフォロワ（図示せず）が干渉可能に挿入される。この固定筒３１の内方に、回転筒３２が設けられる。
【００１８】
その回転筒３２は、固定筒３１の内方に挿入可能な筒状を呈する。回転筒３２の基端部外周面には、図示は略すが、ヘリコイド状のカムフォロワと、歯車状のギア部と、が形成されている。そのカムフォロワは、図示は略すが固定筒３１のカム溝に干渉可能に挿入される。また、ギア部には、図示は略すがレンズ鏡胴駆動ユニット２３（図３参照）を構成するモータの出力軸に設けられたギアが噛み合わされる。このような構成により、回転筒３２は、ギア部（図示せず）に噛み合わされたレンズ鏡胴駆動ユニット２３のギア（図示せず）を介してモータ（図示せず）の駆動力が適宜ギア伝達されると、固定筒３１内において撮影光軸回りに回転する。このとき、回転筒３２では、上述したように、カムフォロワを固定筒３１のカム溝に干渉可能に挿通していることから、そのカムフォロワとカム溝との案内作用により、回転筒３２が固定筒３１に対して撮影光軸ＯＡ方向に移動する。この回転筒３２の内方に、直進筒３３が設けられる。
【００１９】
その直進筒３３は、回転筒３２内に挿入可能な筒状を呈する。その直進筒３３と回転筒３２との間には、図示は略すが、回転筒３２に対して撮影光軸ＯＡ方向（Ｚ軸方向）に一体的に移動するとともに撮影光軸ＯＡ回りに相対的な回転移動が可能とされたライナーが設けられている。直進筒３３は、回転筒３２との撮影光軸ＯＡ回りの相対的な回転が可能とされているとともに、図示は略すが、ライナーに設けられた直進溝を経て回転筒３２の内周面に設けられたカム溝にカムフォロワを干渉可能に挿入して設けられている。このため、直進筒３３は、回転筒３２が固定筒３１に対して撮影光軸ＯＡ回りに回転しつつ撮影光軸ＯＡ方向へと移動されると、ライナーの直進溝とカムフォロワとの干渉により撮影光軸ＯＡ回りの回転が防止されつつ、回転筒３２のカム溝とカムフォロワとの干渉により撮影光軸ＯＡ方向へと移動する。
【００２０】
この直進筒３３には、図示は略すが対物レンズ３４（図４（ｂ）参照）を保持するレンズ保持枠が固定的に設けられている。また、回転筒３２には、図示は略すが、撮影光学系１２（図１等参照）の各光学部材（図示せず）を各々保持する光学部材保持枠や、その光学部材保持枠を撮影光軸方向に移動させるための他の回転筒や他のライナー等が適宜設けられる。
【００２１】
これにより、レンズ鏡胴１３では、回転筒３２が、そのギア部に噛み合わされたギア（図示せず）を介して、レンズ鏡胴駆動ユニット２３（図３参照）（そのモータ）の駆動力が適宜ギア伝達されて、固定筒３１内で回転される。これにより、レンズ鏡胴１３では、回転筒３２および直進筒３３が所定の沈胴位置（収納状態（図４（ａ）参照））と所定の繰出位置（撮影待機状態（図４（ｂ）参照））とで移行し、撮影光学系１２（図１参照）の各光学部材（図示せず）を所定のごとく移動させる。本実施例では、レンズ鏡胴１３は、電源ボタン１４がＯＦＦ状態からＯＮ状態とされると、撮影光学系１２（後述する可動筒）を固定筒３１（収納部）から繰り出す要求があったものとして、撮影光学系１２（可動筒）を固定筒３１（収納部）から撮影光軸ＯＡ方向に繰り出して撮影待機位置（図４（ｂ）参照）とする。
【００２２】
このため、固定筒３１と回転筒３２と直進筒３３とは、図示を略す光学部材保持枠や他の回転筒や他のライナー等とともに、対物レンズ３４に加えて撮影光学系１２（図４（ｂ）参照）の各光学部材（図示せず）を収容する光学部材収容枠として機能する。また、回転筒３２と直進筒３３とは、図示を略す光学部材保持枠や他の回転筒や他のライナー等とともに、レンズ鏡胴１３において固定筒３１に対して進退自在とされ、光軸方向にレンズを移動させる可動筒として機能する。さらに、固定筒３１は、その可動筒を収納する収納部として機能する。ついで、レンズ鏡胴駆動ユニット２３は、図示を略すモータで回転筒３２を適宜回転させることにより、光学部材収容枠を適宜駆動する収容枠駆動手段として機能する。
【００２３】
次に、本発明に係るレンズキャップ５０、デジタルカメラ１０、およびそのレンズキャップ５０とデジタルカメラ１０とを備える撮像装置システムの特徴部分の概略的な構成を、図１、図２および図４から図１１を用いて説明する。なお、図６から図９では、理解容易のためにレンズキャップ５０の構成を簡略化して示すとともに、図９では、理解容易のために筐体１１およびレンズ鏡胴１３の構成を簡略化して示しており、必ずしも実際の構成と一致するものではない。
【００２４】
デジタルカメラ１０では、図２に示すように、レンズ鏡胴１３にレンズキャップ５０が装着可能とされている。この装着のために、レンズ鏡胴１３では、固定筒３１に鏡胴側連結部３５（図１等参照）が設けられている。その鏡胴側連結部３５は、レンズキャップ５０の後述するキャップ側連結部５１との連結および解除することにより、レンズキャップ５０のレンズ鏡胴１３への装着および分離するものである。鏡胴側連結部３５は、図１に示すように、環状凹所３５ａと３つの連結箇所３５ｂとを有する。その環状凹所３５ａは、固定筒３１の外周が全周に渡り、径方向（撮影光軸ＯＡを中心とする放射方向）へと縮められているとともに、撮影光軸ＯＡ方向で筐体１１側へと凹まされて形成されている。
【００２５】
また、３つの連結箇所３５ｂは、環状凹所３５ａにおいて、撮影光軸ＯＡを中心とする回転方向で見て互いに等しい間隔で設けられている。この各連結箇所３５ｂは、固定筒３１における環状凹所３５ａにより径方向に縮められた箇所の外周が部分的にさらに径方向へと縮められて、撮影光軸ＯＡを中心とする回転方向に沿って湾曲されて形成されている。各連結箇所３５ｂでは、図１を正面視した時計回り方向を上記回転方向の正側として、正側の端部に爪部分３５ｃが設けられている。この爪部分３５ｃは、撮影光軸ＯＡ方向で見た被写体側の端部が径方向に沿って外側に突出され、撮影光軸ＯＡを中心とする回転方向に沿って湾曲されて形成されている。このため、各連結箇所３５ｂでは、上記回転方向の負側の端部が、撮影光軸ＯＡに沿う方向での被写体側からの進入が可能に開放された開放部分３５ｄとされている。これにより、各爪部分３５ｃは、各開放部分３５ｄに対して径方向の外側へと庇のように突き出されて形成されている。この各連結箇所３５ｂは、レンズ鏡胴１３（デジタルカメラ１０）とレンズキャップ５０との撮影光軸ＯＡ方向への相対的な接近により、後述するキャップ側連結部５１の爪部分５５を開放部分３５ｄで受け入れるとともに、レンズ鏡胴１３（デジタルカメラ１０）とレンズキャップ５０との相対的な回転により、その爪部分５５を爪部分３５ｃへと引っ掛かる所謂バヨネット式の装着機構の一方を構成している。
【００２６】
このレンズ鏡胴１３では、可動筒（回転筒３２および直進筒３３）の収納状態において、当該可動筒の先端と固定筒３１の先端とが同一平面に存在するものとされている。その固定筒３１の先端は、鏡胴側連結部３５（３つの連結箇所３５ｂ）が設けられていない箇所と、各連結箇所３５ｂの各爪部分３５ｃが設けられている箇所と、により構成されている。また、本実施例では、その固定筒３１の先端と同一平面に存在される可動筒のうちの直進筒３３の先端面に装飾部分３３ａが設けられている。この装飾部分３３ａは、直進筒３３の先端面から突出されて形成されている（図９参照）。装飾部分３３ａは、種々の情報の表示のために設けられており、本実施例では撮影光学系１２の特性を示す表示とされている。
【００２７】
また、レンズ鏡胴１３では、装着検知部４０が設けられている。この装着検知部４０は、電気的な接続の有無の判断により、制御部２１でのレンズキャップ５０がレンズ鏡胴１３（デジタルカメラ１０）に装着されているか否かを検知するものである。装着検知部４０は、本実施例では、固定筒３１に設けられ、電気的な接点となる第１端子４１と第２端子４２と第３端子４３とを有する。この３つの端子（４１、４２、４３）は、固定筒３１において、鏡胴側連結部３５の環状凹所３５ａを部分的に径方向へと縮めた切欠箇所３６における上記回転方向の正側に設けられている。３つの端子（４１、４２、４３）は、鏡胴側連結部３５の３つの連結箇所３５ｂのうちの２つの中間位置で、撮影光軸ＯＡを中心とする回転方向に等間隔で並んでいる。
【００２８】
この３つの端子（４１、４２、４３）は、図５に示すように、基準電圧端子４４と抵抗４５と抵抗４６と協働して、装着検知部４０を構成している。第１端子４１は、制御部２１における第１検出端子Ｉｎ１に接続されている。第２端子４２は、グランドレベルに電気的に接続されている。なお、第２端子４２は、グランドレベルに替えて、制御部２１を構成する電子回路における基準電位に接続されるものであってもよい。第３端子４３は、制御部２１における第２検出端子Ｉｎ２に接続されている。
【００２９】
基準電圧端子４４は、所定の電位（例えば、電源電圧）の印加が可能とされている。この基準電圧端子４４は、抵抗４５を介して、第１端子４１と第１検出端子Ｉｎ１との電路（接続線）上の接続点４７に接続されている。また、基準電圧端子４４は、抵抗４６を介して、第３端子４３と第２検出端子Ｉｎ２との電路（接続線）上の接続点４８に接続されている。
【００３０】
この装着検知部４０では、基準電圧端子４４に所定の電位が印加されると、抵抗４５を介して第１検出端子Ｉｎ１に所定の電位から抵抗４５での電圧降下分を減算した電位が印加（以下、Ｈ信号とする）され、かつ抵抗４６を介して第２検出端子Ｉｎ２に所定の電位から抵抗４６の電圧降下分を減算した電位が印加される（以下、Ｈ信号とする）。ここで、第１端子４１と第２端子４２とが短絡されると、接続点４７の電位がグランドレベルとなるので、第１検出端子Ｉｎ１もグランドレベルとなる（以下、Ｌ信号とする）。また、第３端子４３と第２端子４２とが短絡されると、接続点４８の電位がグランドレベルとなるので、第２検出端子Ｉｎ２もグランドレベルとなる（以下、Ｌ信号とする）。
【００３１】
このため、装着検知部４０は、基準電圧端子４４に所定の電位を印加させることにより、３つの端子（４１、４２、４３）が互いに開放されている状態では、第１検出端子Ｉｎ１および第２検出端子Ｉｎ２にＨ信号を出力し、第１端子４１と第２端子４２とが短絡されている状態では、第１検出端子Ｉｎ１にＬ信号を出力するとともに第２検出端子Ｉｎ２にＨ信号を出力し、第３端子４３と第２端子４２とが短絡されている状態では、第１検出端子Ｉｎ１にＨ信号を出力するとともに第２検出端子Ｉｎ２にＬ信号を出力し、３つの端子（４１、４２、４３）が互いに短絡されている状態では、第１検出端子Ｉｎ１および第２検出端子Ｉｎ２にＬ信号を出力する。このため、制御部２１では、装着検知部４０からの第１検出端子Ｉｎ１および第２検出端子Ｉｎ２への出力信号の組み合わせにより、装着検知部４０における電気的な接続の４通りの状態を検知することができる。この装着検知部４０は、本実施例では、第１端子４１と第２端子４２とを用いて、レンズ鏡胴１３へのレンズキャップ５０の装着の有無の判断を行う。このため、本実施例では、第１端子４１と第２端子４２とは、レンズ鏡胴における収納部としての固定筒３１に設けられた収納部側接点として機能する。
【００３２】
そのレンズキャップ５０は、レンズ鏡胴１３、特に可動筒の先端位置で保持された光学素子（本実施例では対物レンズ３４）の保護のために、レンズ鏡胴１３に対して適宜装着されるものである（図２参照）。このレンズキャップ５０は、図６および図７に示すように、環状のキャップ側連結部５１と、その一方の開放端（レンズ鏡胴１３への装着状態において被写体側）を塞ぐ前端部５２と、を有する。
【００３３】
そのキャップ側連結部５１は、レンズキャップ５０をレンズ鏡胴１３に取り付ける、すなわちその鏡胴側連結部３５との連結のために設けられている。キャップ側連結部５１は、本実施例では樹脂材料から形成され、筒状部分５３と、その一方の開放端に連続する内縁突起部分５４と、その内縁突起部分５４および筒状部分５３の内方に設けられた３つの爪部分５５と、内縁突起部分５４および筒状部分５３の内方に設けられた端子取付部分５６と、を有する。
【００３４】
筒状部分５３は、レンズ鏡胴１３の固定筒３１に設けられた鏡胴側連結部３５の環状凹所３５ａを取り囲むことが可能な大きさ寸法の筒状を呈する。また、筒状部分５３は、固定筒３１に等しい外径寸法とされている（図２および図９参照）。内縁突起部分５４は、筒状部分５３の一方の開放端から、軸線方向に直交する方向に沿って内側に突出されて形成されており、当該開放端の全周に渡って設けられている。この内縁突起部分５４は、後述するように前端部５２の取り付け箇所を形成するとともに、各爪部分５５や端子取付部分５６を設ける箇所となる。
【００３５】
その３つの爪部分５５は、筒状部分５３の軸線を中心とする回転方向で見て互いに等しい間隔で設けられており、固定筒３１に設けられた鏡胴側連結部３５の３つの連結箇所３５ｂに対応する位置関係とされている。各爪部分５５は、筒状部分５３の他方の開放端（レンズ鏡胴１３への装着状態において筐体１１側）から、径方向（軸線を中心とする放射方向）に沿って内側に突出され、軸線を中心とする回転方向に沿って湾曲されて形成されている。この各爪部分５５では、軸線を中心とする回転方向でみた一方の端部に、軸線方向に沿って内縁突起部分５４側へ向けて延びるとともに、その内縁突起部分５４に連続された縦壁箇所５５ａが設けられている。この３つの爪部分５５は、レンズ鏡胴１３（デジタルカメラ１０）とレンズキャップ５０との撮影光軸ＯＡ方向への相対的な接近により、固定筒３１の鏡胴側連結部３５の３つの連結箇所３５ｂの開放部分３５ｄから挿入可能であり、レンズ鏡胴１３（デジタルカメラ１０）とレンズキャップ５０との相対的な回転により、その連結箇所３５ｂの爪部分３５ｃへと引っ掛かる所謂バヨネット式の装着機構の他方を構成している。また、各爪部分５５の縦壁箇所５５ａは、レンズ鏡胴１３（デジタルカメラ１０）とレンズキャップ５０との相対的な回転の限界位置を規定する。この３つの爪部分５５のうちの２つの中間位置に、端子取付部分５６が設けられている。
【００３６】
その端子取付部分５６は、鏡胴側連結部３５に設けられた装着検知部４０へと接触することにより、その装着検知部４０（制御部２１）での電気的な接続が為された旨の判断を行うものであり、レンズキャップ５０（その装着部）がレンズ鏡胴１３の収納部（固定筒３１）に装着されたことの検出する検出部を構成する。端子取付部分５６は、固定筒３１に設けられた鏡胴側連結部３５の装着検知部４０（その３つの端子（４１、４２、４３））に対応する位置関係に設けられている。この端子取付部分５６は、筒状部分５３の周壁を径方向の内側へと部分的に増大させる柱状を呈し、内縁突起部分５４から軸線方向に向けて筒状部分５３の他方の開放端に至るものとされている。端子取付部分５６では、筒状部分５３の他方の開放端と同一平面となる先端面から突出されて第１端子５７と第２端子５８とが設けられている。この第１端子５７と第２端子５８とは、筒状部分５３の軸線を中心とする回転方向に等間隔で並んで設けられている。本実施例では、３つの連結箇所３５ｂ（その爪部分３５ｃ）と３つの爪部分５５との引っ掛かりにより鏡胴側連結部３５とキャップ側連結部５１とが適切に連結された状態において、第１端子５７が装着検知部４０の第１端子４１に撮影光軸ＯＡ方向で対向して接触し、第２端子５８が装着検知部４０の第２端子４２に撮影光軸ＯＡ方向で対向して接触する位置関係とされている。このため、本実施例では、第１端子５７と第２端子５８とは、一方が第１接点として機能するとともに他方が第２接点として機能し、双方でレンズキャップ側接点として機能する。また、本実施例では、収納部側接点としての第１端子４１と第２端子４２とは、一方が第３接点として機能するとともに他方が第４接点として機能する。
【００３７】
端子取付部分５６では、図８に示すように、２つの装着穴５６ａが設けられ、その一方に第１端子５７が配置され、他方に第２端子５８が配置されている。各装着穴５６ａは、端子取付部分５６が筒状部分５３の軸線方向に貫通されて形成され、その一端が前端部５２により塞がれている。この各装着穴５６ａでは、前端部５２により塞がれる一端側が大径部５６ｂとされ、そこに連続する他端側が大径部５６ｂよりも小さな内径寸法の小径部５６ｃとされて、その径寸法の差異により段差部５６ｄが形成されている。この各装着穴５６ａに第１端子５７および第２端子５８が配置されている。この第１端子５７と第２端子５８とは、互いに等しい形状とされていることから、以下では、基本的に第１端子５７を用いて説明する。
【００３８】
この第１端子５７（第２端子５８）は、導電性を有する金属材料から形成されて、突出部５７ａ（５８ａ）と、フランジ部５７ｂ（５８ｂ）と、固定部５７ｃ（５８ｃ）と、を有する。突出部５７ａは、装着穴５６ａの小径部５６ｃに通すことが可能な外径寸法とされており、その突出端が球面状とされている。フランジ部５７ｂは、装着穴５６ａの大径部５６ｂに通すことが可能であって、装着穴５６ａの小径部５６ｃに通すことのできない外径寸法とされている。固定部５７ｃは、後述するコイルスプリング５９の内方に通すことが可能であって、フランジ部５７ｂよりも小さな外径寸法とされている。この第１端子５７（第２端子５８）は、一端側から装着穴５６ａ内に挿入されて、突出部５７ａ（５８ａ）が小径部５６ｃに挿通されて設けられている。第１端子５７（第２端子５８）は、一端が前端部５２に固定されたコイルスプリング５９により、固定部５７ｃ（５８ｃ）が支持されて装着穴５６ａ内に設けられている。そのコイルスプリング５９は、導電性を有する金属材料から形成されており、装着穴５６ａの大径部５６ｂ内に通すことが可能な外径寸法とされて、第１端子５７（第２端子５８）の固定部５７ｃ（５８ｃ）を受け入れることが可能であってフランジ部５７ｂを受け入れることのできない内径寸法とされている。
【００３９】
このため、第１端子５７（第２端子５８）は、装着穴５６ａの大径部５６ｂ内において、フランジ部５７ｂがコイルスプリング５９により小径部５６ｃ側（他端側）へ向けて押され、そのフランジ部５７ｂが装着穴５６ａの段差部５６ｄに押し当てられることにより、他端側への移動が制限されて設けられている。このとき、第１端子５７（第２端子５８）では、フランジ部５７ｂ（５８ｂ）にコイルスプリング５９の他端が接触するとともに内方に通された固定部５７ｃ（５８ｃ）にコイルスプリング５９の他端部が接触していることから、コイルスプリング５９と導通（電気的に接続）されている。なお、本実施例では、第１端子５７および第２端子５８と前端部５２とをコイルスプリング５９により固定するものとしているが、導電性を有する材料で構成されているものであれば、他の構造であって同様な方向に押す力を付与する弾性部材や、双方を単に掛け渡す部材であってもよく、本実施例に限定されるものではない。
【００４０】
レンズキャップ５０では、図６および図７に示すように、このように構成されたキャップ側連結部５１に、前端部５２が取り付けられている。この前端部５２は、キャップ側連結部５１の外径寸法に等しい外径寸法の円板状を呈し、筒状部分５３の一方の開放端を塞ぎつつ内縁突起部分５４に固定されている。このため、前端部５２は、後述するように、装着部としてのキャップ側連結部５１が鏡胴側連結部３５と適切に連結されて、レンズキャップ５０がレンズ鏡胴１３（その収納部（固定筒３１））に適切に装着された際、撮影光学系１２の対物レンズ３４を覆うことができる。その前端部５２は、本実施例では、導電性を有する金属材料から形成されている。このため、一端が固定された２つのコイルスプリング５９（図８参照）を導通（電気的に接続）することができるので、一方のコイルスプリング５９が支持する第１端子５７と、他方のコイルスプリング５９が支持する第２端子５８と、を導通（電気的に接続）することができる。
【００４１】
また、この前端部５２では、キャップ側連結部５１が取り付けられる側の内側面に凹所５２ａが設けられている。この凹所５２ａは、レンズ鏡胴１３の固定筒３１もしくは可動筒（回転筒３２および直進筒３３）の先端面から突出して設けられる装飾部分が前端部５２と干渉することを防止するためのものである。凹所５２ａは、本実施例では、レンズ鏡胴１３の直進筒３３の先端面に設けられた装飾部分３３ａ（図１参照）に対応して設けられている。凹所５２ａは、前端部５２（筒状部分５３）の軸線から見て装飾部分３３ａが設けられた半径位置において、当該軸線を中心とする回転方向に沿って湾曲して設けられている。この凹所５２ａは、径方向で見て装飾部分３３ａよりも大きい大きさ寸法とされている（図９参照）とともに、軸線を中心とする回転方向で見て鏡胴側連結部３５とキャップ側連結部５１との連結のための相対的な回転に伴い相対的に変化する装飾部分３３ａの位置に拘らず当該装飾部分３３ａとの干渉を防止することのできる大きさ寸法とされている。また、凹所５２ａは、直進筒３３の先端面からの装飾部分３３ａの突出量よりも大きな深さ寸法とされている。
【００４２】
このレンズキャップ５０は、次のようにデジタルカメラ１０のレンズ鏡胴１３に装着することができる。先ず、所定の収納位置（図４（ａ）参照）とされたレンズ鏡胴１３の先端面に対して、被写体側から撮影光軸ＯＡ方向にレンズキャップ５０を移動させて接近させ、キャップ側連結部５１の各爪部分５５を、固定筒３１の鏡胴側連結部３５の対応する連結箇所３５ｂの開放部分３５ｄへと進行させつつ、キャップ側連結部５１の筒状部分５３を鏡胴側連結部３５の環状凹所３５ａへと宛がう。その後、レンズ鏡胴１３（デジタルカメラ１０）とレンズキャップ５０とを相対的に回転させて、各爪部分５５を対応する連結箇所３５ｂの爪部分３５ｃの内方へと進入させる。すると、各爪部分５５が対応する爪部分３５ｃに引っ掛かることにより、鏡胴側連結部３５とキャップ側連結部５１とが適切に連結される（図９参照）。これにより、レンズキャップ５０は、レンズ鏡胴１３（その収納部（固定筒３１））に適切に装着される（図２参照）。このため、キャップ側連結部５１は、可動筒（回転筒３２および直進筒３３）が収納部（固定筒３１）に収納された状態において、その収納部への装着するための装着部として機能する。
【００４３】
このとき、レンズキャップ５０では、被写体側となる前端部にレンズ鏡胴１３（固定筒３１および可動筒（回転筒３２および直進筒３３））の先端面に沿って前端部５２が存在する（図９参照）とともに、そのレンズ鏡胴１３の固定筒３１（その外周面）を取り巻いてキャップ側連結部５１が存在している（図２参照）。また、固定筒３１に設けられた装着検知部４０の第１端子４１には、レンズキャップ５０に設けられた端子取付部分５６の第１端子５７（その突出部５７ａ）が接触され（図９参照）、装着検知部４０の第２端子４２には、端子取付部分５６の第２端子５８（その突出部５８ａ）が接触される。これにより、装着検知部４０の第１端子４１と第２端子４２とは、第１端子５７、それを支持するコイルスプリング５９、その一端が固定された前端部５２、そこに一端が固定された他方のコイルスプリング５９、およびそれに支持された第２端子５８を経て、導通される。
【００４４】
次に、本実施例のレンズキャップ５０とデジタルカメラ１０とを備える撮像装置システムにおけるレンズキャップ５０のレンズ鏡胴１３（デジタルカメラ１０）への装着の有無の検出および装着を検出した際の報知（検出報知）の動作について説明する。図１０は、デジタルカメラ１０の動作を統括的に制御する制御部２１における検出報知の制御処理の内容の一例を示すフローチャートである。以下、この検出報知のための制御部２１における制御処理の一例である図１０のフローチャートの各ステップについて説明する。このフローチャートは、デジタルカメラ１０の電源ボタン１４（図１等参照）がＯＦＦ状態とされ、レンズ鏡胴１３が所定の収納位置（図４（ａ）参照）とされてデジタルカメラ１０が駆動停止されている状態で実行される。すなわち、制御部２１が、電源ボタン１４の状態の変化を検知することにより電源ボタン１４がＯＦＦ状態とされたことを認識して（停止検知工程）、レンズ鏡胴駆動ユニット２３を適宜駆動制御することにより、固定筒３１内で回転筒３２を回転させて、回転筒３２および直進筒３３を所定の沈胴位置（収納状態（図４（ａ）参照））へと移行するとともに、デジタルカメラ１０を駆動停止した（停止工程）状態で実行される。
【００４５】
ステップＳ１では、キースキャンのタイミングとなったか否かを判断し、Ｙｅｓの場合はステップＳ２へ進み、Ｎｏの場合はステップＳ１を繰り返す。このステップＳ１では、制御部２１において、予め設定されたキースキャンのタイミングとなったか否かを判断する。このキースキャンとは、デジタルカメラ１０の電源ボタン１４がＯＦＦ状態とされている際、電源ボタン１４がＯＮ状態とされたことを認識すべく電源ボタン１４の状態の変化を検知することをいい、そのタイミングとは、所定の時間間隔をおいて電源ボタン１４の状態の変化の検知を実行する時期をいう。このキースキャンのタイミングは、制御部２１に設けられた記憶部２１ａ（図３参照）に格納され、その制御部２１により適宜取得される。
【００４６】
ステップＳ２では、ステップＳ１でキースキャンのタイミングとなったとの判断に続き、装着検知部４０からの出力信号を読み込んで、ステップＳ３へ進む。このステップＳ２では、装着検知部４０からの出力信号を読み込む、すなわち第１検出端子Ｉｎ１および第２検出端子Ｉｎ２（図５参照）への出力信号をそれぞれ取得する。このため、ステップＳ２は、２つの収納部側接点である第１端子４１と第２端子４２とが導通されていることを検知する導通検知工程となる。
【００４７】
ステップＳ３では、ステップＳ２での装着検知部４０からの出力信号の読み込みに続き、電源ボタン１４の状態を読み込んで、ステップＳ４へ進む。このステップＳ３では、電源ボタン１４の状態（ＯＦＦ状態またはＯＮ状態）を取得する。このため、ステップＳ３は、起動操作が為されたことを検知する起動検知工程となる。
【００４８】
ステップＳ４では、ステップＳ３での電源ボタン１４の状態の読み込みに続き、電源ボタン１４がＯＮ状態とされたか否かを判断し、Ｙｅｓの場合はステップＳ５へ進み、Ｎｏの場合はステップＳ１へと戻る。本実施例では、電源ボタン１４がＯＮ状態とされると、撮影光学系１２（後述する可動筒）を固定筒３１（収納部）から繰り出す要求があったものとしていることから、このステップＳ４は繰り出し要求が為されたか否かを判断している。
【００４９】
ステップＳ５では、ステップＳ４での電源ボタン１４がＯＮ状態とされたとの判断に続き、レンズ鏡胴１３にレンズキャップ５０が装着されているか否かを判断し、Ｙｅｓの場合はステップＳ７へ進み、Ｎｏの場合はステップＳ６へ進む。このステップＳ５では、ステップＳ２で読み込んだ装着検知部４０からの出力信号、すなわち第１検出端子Ｉｎ１および第２検出端子Ｉｎ２への出力信号の組み合わせから、レンズキャップ５０が装着されているか否かを判断する。ここで、本実施例では、鏡胴側連結部３５とキャップ側連結部５１とが適切に連結されると（図９参照）、装着検知部４０の第１端子４１と第２端子４２とがレンズキャップ５０の端子取付部分５６により導通されることから、第１検出端子Ｉｎ１にＬ信号が出力されるとともに第２検出端子Ｉｎ２にＨ信号が出力されると、レンズキャップ５０が装着されているものと判断し、それ以外の組み合わせではレンズキャップ５０が装着されていないものと判断する。このステップＳ５では、ステップＳ４においてデジタルカメラ１０の電源ボタン１４がＯＮ状態とされたことから、レンズキャップ５０を考慮してデジタルカメラ１０を起動しても問題ないか否かを判断している。
【００５０】
ステップＳ６では、ステップＳ５でのレンズキャップ５０が装着されていないとの判断に続き、デジタルカメラ１０の起動処理を行い、このフローチャートを終了する。このステップＳ６では、レンズキャップ５０が装着されていないことから、デジタルカメラ１０を起動しても問題ないので、撮影光学系１２を撮影可能な状態とすべくレンズ鏡胴１３を撮影待機位置とする制御を実行する。このとき、レンズ鏡胴駆動ユニット２３（図２参照）を駆動制御することにより、レンズ鏡胴１３において、可動筒（回転筒３２および直進筒３３）を固定筒３１内の沈胴位置（図４（ａ）参照）から前方側（物体側）の撮影待機位置（図４（ｂ）参照）へと移動させる。これにより、撮影光学系１２すなわちデジタルカメラ１０では、撮影動作の実行が可能な状態となる。このとき、表示部２４（図２参照）には、制御部２１の制御下で取得した画像が表示され、モニタリング状態となる。
【００５１】
ステップＳ７では、ステップＳ５でのレンズキャップ５０が装着されているとの判断に続き、装着状態である旨の報知を行い、ステップＳ１へと戻る。このステップＳ７では、レンズキャップ５０が装着されていることから、デジタルカメラ１０を起動すると問題があるので、撮影光学系１２を撮影可能な状態とすることなくすなわちレンズ鏡胴１３において収納部（固定筒３１）から可動筒（回転筒３２および直進筒３３）を繰り出させることなく、レンズキャップ５０が装着されている旨の報知を行う。本実施例では、図１１に示すように、表示部２４に、装着状態である旨の文章を表示させる（警告表示）ことにより、装着状態である旨の報知を行う。また、本実施例では、表示部２４での装着状態である旨の表示（警告表示）を数秒間行った後、その表示を停止して、デジタルカメラ１０を駆動停止の状態とする。この後、ステップＳ１へと戻り、再び検出報知の動作を繰り返すこととなる。
【００５２】
このレンズキャップ５０とデジタルカメラ１０とを備える撮像装置システムでは、デジタルカメラ１０の停止状態である場合、図１０のフローチャートにおいてステップＳ１→ステップＳ２→ステップＳ３→ステップＳ４へと進むことにより、レンズ鏡胴１３にレンズキャップ５０が装着されたか否か（収納部側接点とレンズキャップ側接点とが接続されたか否か）の検出（判断）と、電源ボタン１４がＯＮ状態とされたか否かの検出（判断）と、を定期的に行う。この電源ボタン１４がＯＮ状態とされたか否かの検出（判断）は、上述したように、繰り出し要求が為されたか否かを検出（判断）していることとなる。その定期的な検出のうちの直近の検出結果により、電源ボタン１４がＯＮ状態とされたか否かが判断され、電源ボタン１４がＯＮ状態とされるとステップＳ５へと進み、電源ボタン１４がＯＦＦ状態であるとステップＳ１へ戻って電源ボタン１４がＯＮ状態とされるまで電源ボタン１４の変化の検知を続ける。このことから、上記撮像装置システムにおいて、図１０のフローチャートにおけるステップＳ１→ステップＳ２→ステップＳ３→ステップＳ４が、検出工程となる。
【００５３】
ここで、電源ボタン１４がＯＮ状態とされた場合であって、上記した直近の検出結果に基づきレンズ鏡胴１３にレンズキャップ５０が装着されていないと、ステップＳ４→ステップＳ５→ステップＳ６へと進むことにより、レンズ鏡胴１３が撮影待機位置（図４（ｂ）参照）とされて、デジタルカメラ１０では撮影動作の実行が可能な状態となる。このことから、上記撮像装置システムにおいて、図１０のフローチャートにおけるステップＳ４→ステップＳ５→ステップＳ６が、起動工程となる。
【００５４】
また、電源ボタン１４がＯＮ状態とされた場合であって、上記した直近の検出結果に基づきレンズ鏡胴１３にレンズキャップ５０が装着されていると、ステップＳ４→ステップＳ５→ステップＳ７へと進むことにより、レンズ鏡胴１３が沈胴位置（図４（ａ）参照）のまま駆動されることなく、表示部２４で装着状態である旨の表示（警告表示）を行い、デジタルカメラ１０が停止状態で維持される。このことから、上記撮像装置システムにおいて、図１０のフローチャートにおけるステップＳ４→ステップＳ５→ステップＳ７が、報知工程となる。
【００５５】
本実施例のレンズキャップ５０では、レンズ鏡胴１３（デジタルカメラ１０）に装着されると、検出部としての端子取付部分５６が装着検知部４０に接触することにより、その装着検知部４０での電気的な接続が為された旨の判断を行うことから、デジタルカメラ１０の制御部２１に装着検知部４０での電気的な接続の有無を判断させることにより、レンズキャップ５０の装着の有無を判断させることができる。このため、制御部２１において、レンズキャップ５０が装着されていることを認識した際に装着状態である旨の報知を行うことにより、使用者にレンズキャップ５０を装着したままであることを認識させることができるので、可動筒の繰り出し操作の中止を促すことができ、可動筒（回転筒３２および直進筒３３）に傷をつけてしまったりレンズ鏡胴１３における駆動部分（各カムの構成やレンズ鏡胴駆動ユニット２３）に負荷をかけてしまったりすることを防止することができる。また、制御部２１において、レンズキャップ５０が装着されていることを認識した際に可動筒の繰り出し操作の実行を行わないものとすることにより、可動筒（回転筒３２および直進筒３３）に傷をつけてしまったりレンズ鏡胴１３における駆動部分（各カムの構成やレンズ鏡胴駆動ユニット２３）に負荷をかけてしまったりすることを防止することができる。
【００５６】
また、本実施例のレンズキャップ５０では、検出部としての端子取付部分５６において、鏡胴側連結部３５とキャップ側連結部５１とが適切に連結されると固定筒３１に設けられた装着検知部４０の第１端子４１に接触する第１端子５７とその装着検知部４０の第２端子４２に接触する第２端子５８とが設けられているとともに、その第１端子５７と第２端子５８とが互いに導通されていることから、デジタルカメラ１０の制御部２１に装着検知部４０における第１端子４１と第２端子４２とが導通（短絡）されたか否かを判断させることにより、レンズキャップ５０の装着の有無を判断させることができる。このため、装着検知部４０における回路構成を簡易なものとしつつレンズキャップ５０の装着の有無の判断を行うことができる。
【００５７】
さらに、本実施例のレンズキャップ５０では、検出部としての端子取付部分５６において、鏡胴側連結部３５とキャップ側連結部５１とが適切に連結されると固定筒３１に設けられた装着検知部４０の第１端子４１に接触する第１端子５７とその装着検知部４０の第２端子４２に接触する第２端子５８とが設けられているとともに、その第１端子５７と第２端子５８とが互いに導通されていることから、電源等を設けることなくかつ極めて簡易な構成で、デジタルカメラ１０の制御部２１でのレンズキャップ５０の装着の有無を判断することができる。
【００５８】
本実施例のレンズキャップ５０では、キャップ側連結部５１の内縁突起部分５４に固定された導電性を有する前端部５２により、端子取付部分５６における第１端子５７と第２端子５８とを互いに導通させるものであることから、その導通のためだけに新たな構成を設けることなく、簡易な構成とすることができる。
【００５９】
本実施例のレンズキャップ５０では、端子取付部分５６において、第１端子５７および第２端子５８がコイルスプリング５９により他端側へ向けて押されているとともに、その両コイルスプリング５９が前端部５２に固定されていることから、鏡胴側連結部３５とキャップ側連結部５１とが適切に連結された状態において、第１端子５７を装着検知部４０の第１端子４１により確実に接触させることができるとともに第２端子５８を装着検知部４０の第２端子４２により確実に接触させることができる。
【００６０】
本実施例のレンズキャップ５０では、キャップ側連結部５１がデジタルカメラ１０の固定筒３１の鏡胴側連結部３５と協働してバヨネット式の装着機構を構成するものであることから、鏡胴側連結部３５との連結およびその解除を簡易なものとすることができる。
【００６１】
本実施例のレンズキャップ５０では、端子取付部分５６において第１端子５７および第２端子５８がコイルスプリング５９により他端側へ向けて押されているとともに、キャップ側連結部５１がデジタルカメラ１０の固定筒３１の鏡胴側連結部３５と協働してバヨネット式の装着機構を構成するものであることから、レンズ鏡胴１３（デジタルカメラ１０）への装着および分離のために当該レンズ鏡胴１３に対する回転を第１端子５７および第２端子５８が阻害することを防止しつつ、第１端子５７および第２端子５８が装着検知部４０の第１端子４１もしくは第２端子４２により確実に接触させることができる。加えて、本実施例では、第１端子５７および第２端子５８の突出部５７ａ（５８ａ）の突出端が球面状とされていることから、レンズ鏡胴１３に対する回転が阻害されることをより確実に防止することができる。
【００６２】
本実施例のレンズキャップ５０では、前端部５２に凹所５２ａが設けられていることから、レンズ鏡胴１３（デジタルカメラ１０）への装着および分離の際にレンズ鏡胴１３の固定筒３１もしくは可動筒（回転筒３２および直進筒３３）の先端面から突出して装飾部分（本実施例では装飾部分３３ａ）が設けられている場合であっても、その装飾部分に傷をつけてしまうことをより確実に防止することができるとともに、前端部５２に傷がついてしまうことをより確実に防止することができる。
【００６３】
本実施例のレンズキャップ５０では、前端部５２には直進筒３３の先端面からの装飾部分３３ａの突出量よりも大きな深さ寸法の凹所５２ａが設けられていることから、例え装着検知部４０が設けられていない、もしくは制御部２１においてレンズキャップ５０が装着されていることを認識する機能が設けられていないデジタルカメラ１０のレンズ鏡胴１３に装着した状態でその可動筒が繰り出された場合であっても、装飾部分３３ａと前端部５２との接触を防止することができるので、より目立ち易い装飾部分３３ａに傷が付くことを防止することができる。
【００６４】
本実施例のレンズキャップ５０では、レンズ鏡胴１３に装着された状態においてデジタルカメラ１０において正面視される際の前側（被写体側）となる端部となる前端部５２が金属材料により形成されているので、高級な印象を与えることができる。このため、レンズキャップ５０は、デジタルカメラ１０の外観の印象を向上させるための高い装飾機能を併せ持つこととなる。このように前端部５２が金属材料で形成されている場合、可動筒（回転筒３２および直進筒３３）と接触すると、その可動筒に傷をつけてしまったりレンズ鏡胴１３における駆動部分（各カムの構成やレンズ鏡胴駆動ユニット２３）に負荷をかけてしまったりする可能性が高くなることから、上記した端子取付部分５６や凹所５２ａが設けられていることによる各作用をより効果的に得ることができる。
【００６５】
本実施例のレンズキャップ５０とデジタルカメラ１０とを備える撮像装置システムでは、レンズキャップ５０がレンズ鏡胴１３（デジタルカメラ１０）に装着されると、検出部としての端子取付部分５６が装着検知部４０に接触して、デジタルカメラ１０の制御部２１が装着検知部４０での電気的な接続が為された旨を判断することができるので、レンズキャップ５０の装着の有無を制御部２１で判断することができる。このため、制御部２１において、レンズキャップ５０が装着されていることを認識した際に装着状態である旨の報知を行うことにより、使用者にレンズキャップ５０を装着したままであることを認識させることができるので、可動筒の繰り出し操作の中止を促すことができ、可動筒（回転筒３２および直進筒３３）に傷をつけてしまったりレンズ鏡胴１３における駆動部分（各カムの構成やレンズ鏡胴駆動ユニット２３）に負荷をかけてしまったりすることを防止することができる。また、制御部２１において、レンズキャップ５０が装着されていることを認識した際に可動筒の繰り出し操作の実行を行わないものとすることにより、可動筒（回転筒３２および直進筒３３）に傷をつけてしまったりレンズ鏡胴１３における駆動部分（各カムの構成やレンズ鏡胴駆動ユニット２３）に負荷をかけてしまったりすることを防止することができる。
【００６６】
本実施例のレンズキャップ５０とデジタルカメラ１０とを備える撮像装置システムでは、鏡胴側連結部３５とキャップ側連結部５１とが適切に連結されると、レンズキャップ５０の検出部としての端子取付部分５６の第１端子５７と固定筒３１に設けられた装着検知部４０の第１端子４１とが接触するとともに、端子取付部分５６の第２端子５８と装着検知部４０の第２端子４２とが接触するものであって、レンズキャップ５０において第１端子５７と第２端子５８とが互いに導通され、デジタルカメラ１０の制御部２１に装着検知部４０における第１端子４１と第２端子４２とが導通（短絡）されたか否かを判断することでレンズキャップ５０の装着の有無を判断するものであることから、装着検知部４０における回路構成を簡易なものとしつつレンズキャップ５０の装着の有無を判断することができる。
【００６７】
本実施例のレンズキャップ５０とデジタルカメラ１０とを備える撮像装置システムでは、レンズキャップ５０の検出部としての端子取付部分５６において、鏡胴側連結部３５とキャップ側連結部５１とが適切に連結されると固定筒３１の装着検知部４０の第１端子４１に接触する第１端子５７とその装着検知部４０の第２端子４２に接触する第２端子５８とが設けられているとともに、その第１端子５７と第２端子５８とが互いに導通されていることから、装着検知部４０において第１端子４１と第２端子４２とが短絡されたか否かを判断させる構成とするだけで良いので、レンズキャップ５０を電源等を設けることのない極めて簡易な構成とすることができるとともに、装着検知部４０を極めて簡易な構成とすることができる。
【００６８】
本実施例のレンズキャップ５０とデジタルカメラ１０とを備える撮像装置システムでは、制御部２１が、レンズキャップ５０が装着されていることを認識すると、装着状態である旨の報知を行うことから、使用者にレンズキャップ５０を装着したままであることを認識させることができるので、可動筒の繰り出し操作の中止を促すことができ、可動筒（回転筒３２および直進筒３３）に傷をつけてしまったりレンズ鏡胴１３における駆動部分（各カムの構成やレンズ鏡胴駆動ユニット２３）に負荷をかけてしまったりすることを防止することができる。
【００６９】
本実施例のレンズキャップ５０とデジタルカメラ１０とを備える撮像装置システムでは、制御部２１が、レンズキャップ５０が装着されていることを認識すると、表示部２４に装着状態である旨の文章を表示（警告表示）させることから、デジタルカメラ１０で撮影を行うべく表示部２４を見た使用者にレンズキャップ５０を装着したままであることをより確実に認識させることができる。
【００７０】
本実施例のレンズキャップ５０とデジタルカメラ１０とを備える撮像装置システムでは、制御部２１が、レンズキャップ５０が装着されていることを認識すると、表示部２４に装着状態である旨の文章を表示（警告表示）させるとともに、その表示を数秒間行った後に当該表示を停止することから、電力消費量を抑制しつつレンズ鏡胴１３およびレンズキャップ５０を保護することができる。
【００７１】
本実施例のレンズキャップ５０とデジタルカメラ１０とを備える撮像装置システムでは、制御部２１が、レンズキャップ５０が装着されていることを認識すると、レンズ鏡胴１３において固定筒３１から可動筒（回転筒３２および直進筒３３）を繰り出させることを実行しないので、可動筒（回転筒３２および直進筒３３）に傷をつけてしまったりレンズ鏡胴１３における駆動部分（各カムの構成やレンズ鏡胴駆動ユニット２３）に負荷をかけてしまったりすることを確実に防止することができる。
【００７２】
本実施例のレンズキャップ５０とデジタルカメラ１０とを備える撮像装置システムでは、制御部２１が、レンズキャップ５０が装着されていることを認識すると、レンズ鏡胴１３において固定筒３１から可動筒（回転筒３２および直進筒３３）を繰り出させることを実行することなくレンズキャップ５０が装着状態である旨の報知を行うことから、可動筒（回転筒３２および直進筒３３）に傷をつけてしまったりレンズ鏡胴１３における駆動部分（各カムの構成やレンズ鏡胴駆動ユニット２３）に負荷をかけてしまったりすることを確実に防止しつつ使用者が違和感を覚えることを防止することができる。
【００７３】
本実施例のレンズキャップ５０とデジタルカメラ１０とを備える撮像装置システムでは、キャップ側連結部５１と鏡胴側連結部３５とがバヨネット式の装着機構を構成するものであることから、キャップ側連結部５１と鏡胴側連結部３５との連結およびその解除、すなわちレンズキャップ５０のレンズ鏡胴１３（デジタルカメラ１０）への装着および分離を簡易なものとすることができる。
【００７４】
したがって、本実施例のレンズキャップ５０では、レンズ鏡胴１３に装着された状態でその可動筒（回転筒３２および直進筒３３）を繰り出すための操作が為された場合であっても、その可動筒に傷をつけてしまったりレンズ鏡胴１３における駆動部分（各カムの構成やレンズ鏡胴駆動ユニット２３）に負荷をかけてしまったりすることを防止することができる。
【００７５】
なお、上記した実施例では、制御部２１における検出報知の制御処理（図１０参照）において、デジタルカメラ１０が駆動停止されている状態で定期的に装着検知部４０からの出力信号を読み込む構成とされていたが、繰り出し要求が為された（実施例では、電源ボタン１４がＯＮ状態とされた）ことを検知してから、撮影光学系１２（可動筒（回転筒３２および直進筒３３））を固定筒３１（収納部）から繰り出す動作を開始する際に、レンズキャップ５０が装着されているか否かの判断を行う構成としてもよく、上記した実施例に限定されるものではない。例えば、デジタルカメラ１０が再生モードで起動した後に、撮影モードに切り替えられたことを検知した場合に、装着検知部４０を駆動してその第１端子４１と第２端子４２とが導通されているか否かを判断する構成とする。
【００７６】
また、上記した実施例では、制御部２１における検出報知の制御処理（図１０参照）において、定期的に装着検知部４０からの出力信号を読み込む構成とされていたが、繰り出し要求が為されたことを検知してから、撮影光学系１２（可動筒（回転筒３２および直進筒３３））を固定筒３１（収納部）から繰り出す動作を開始する際に、レンズキャップ５０が装着されているか否かの判断を行うものであればよく、上記した実施例に限定されるものではない。この一例について、以下で、制御部２１における検出報知の制御処理の他の形態を変形例として説明する。なお、以下の変形例は、本発明に係るレンズキャップ、撮像装置および撮像装置システムの他の形態を説明するものであることから、基本的な構成としては上記した実施例のレンズキャップ５０、デジタルカメラ１０およびそれらを備える撮像装置システムを用いて説明を行い、等しい構成の個所には同じ符号を付し、その詳細な説明は省略する。
【００７７】
［変形例］
図１２は、デジタルカメラ１０の動作を統括的に制御する制御部２１における検出報知の制御処理の内容の他の例を示すフローチャートである。以下、この検出報知のための制御部２１における制御処理の他の例である図１２のフローチャートの各ステップについて説明する。このフローチャートは、レンズ鏡胴１３が所定の収納位置（図４（ａ）参照）とされている状態で実行される。すなわち、制御部２１が、繰り入れ要求を検知することにより、レンズ鏡胴駆動ユニット２３を適宜駆動制御し、固定筒３１内で回転筒３２を回転させて、回転筒３２および直進筒３３を所定の沈胴位置（収納状態（図４（ａ）参照））へと移行させた状態で実行される。その繰り入れ要求は、上記した実施例のように電源ボタン１４をＯＦＦ状態としたり、再生モードや動作を設定するモード等の撮影モード以外の動作モードへの切替を行うことにより発生し、モード切替ダイアル１６または操作スイッチ１７における１つの操作態様として設定すればよい。
【００７８】
ステップＳ１１では、キースキャンのタイミングとなったか否かを判断し、Ｙｅｓの場合はステップＳ１２へ進み、Ｎｏの場合はステップＳ１１を繰り返す。このステップＳ１１は、基本的に図１０のフローチャートのステップＳ１と同様であり、後述する繰り出し要求が為されることを、所定の時間間隔をおいて検知する。
【００７９】
ステップＳ１２では、ステップＳ１１でキースキャンのタイミングとなったとの判断に続き、繰り出し要求としての出力信号を読み込んで、ステップＳ１３へ進む。このステップＳ１２では、繰り出し要求として設定された操作が実行されたことを示す出力信号を取得する。この繰り出し要求として設定された操作は、例えば、上記した実施例のように電源ボタン１４をＯＮ状態とすることや、デジタルカメラ１０を撮影モード以外の動作モードで起動させた後に撮影モードへ切替ることである。このため、ステップＳ１２は、繰り出し要求検知工程となる。
【００８０】
ステップＳ１３では、ステップＳ１２での繰り出し要求としての出力信号の読み込みに続き、繰り出し要求としての操作がなされたか否かを判断し、Ｙｅｓの場合はステップＳ１４へ進み、Ｎｏの場合はステップＳ１１へと戻る。
【００８１】
ステップＳ１４では、ステップＳ１３での繰り出し要求としての操作がなされたとの判断に続き、装着検知部４０からの出力信号を読み込んで、ステップＳ１５へ進む。このステップＳ１４は、図１０のフローチャートのステップＳ２と同様であり、導通検知工程となる。
【００８２】
ステップＳ１５では、ステップＳ１４での装着検知部４０からの出力信号の読み込みに続き、レンズ鏡胴１３にレンズキャップ５０が装着されているか否かを判断し、Ｙｅｓの場合はステップＳ１７へ進み、Ｎｏの場合はステップＳ１６へ進む。このステップＳ１５では、ステップＳ１４で読み込んだ装着検知部４０からの出力信号、すなわち第１検出端子Ｉｎ１および第２検出端子Ｉｎ２への出力信号の組み合わせから、レンズキャップ５０が装着されているか否かを判断する。この装着の有無の判断の態様は、上記した実施例と同様である。このステップＳ１５では、ステップＳ１３において繰り出し要求としての操作がなされたことから、レンズキャップ５０を考慮して撮影光学系１２（可動筒（回転筒３２および直進筒３３））を固定筒３１（収納部）から繰り出しても問題ないか否かを判断している。
【００８３】
ステップＳ１６では、ステップＳ１５でのレンズキャップ５０が装着されていないとの判断に続き、デジタルカメラ１０の起動処理を行い、このフローチャートを終了する。このステップＳ１６は、図１０のフローチャートのステップＳ６と同様である。
【００８４】
ステップＳ１７では、ステップＳ１５でのレンズキャップ５０が装着されているとの判断に続き、装着状態である旨の報知を行い、ステップＳ１１へと戻る。このステップＳ１７は、図１０のフローチャートのステップＳ７と同様であり、レンズ鏡胴１３において収納部（固定筒３１）から可動筒（回転筒３２および直進筒３３）を繰り出させることなく、レンズキャップ５０が装着されている旨の報知を行う。この変形例でも、図１１に示すように、表示部２４に、装着状態である旨の文章を表示させる（警告表示）ことにより、装着状態である旨の報知を行う。また、この変形例でも、表示部２４での装着状態である旨の表示（警告表示）を数秒間行った後、その表示を停止して、デジタルカメラ１０を駆動停止の状態とする。この後、ステップＳ１１へと戻り、再び検出報知の動作を繰り返すこととなる。
【００８５】
これにより、この変形例の検出報知の制御処理（図１２参照）では、レンズ鏡胴１３に装着された状態でその可動筒（回転筒３２および直進筒３３）を繰り出すための操作が為された場合であっても、その可動筒に傷をつけてしまったりレンズ鏡胴１３における駆動部分（各カムの構成やレンズ鏡胴駆動ユニット２３）に負荷をかけてしまったりすることを防止することができる。
【００８６】
なお、上記した実施例（変形例も含む）では、本発明に係るレンズキャップの一例としてのレンズキャップ５０について説明したが、光軸方向にレンズを移動させる可動筒と、該可動筒を収納する収納部と、を備えたレンズ鏡胴に装着されるレンズキャップであって、前記可動筒が前記収納部に収納された状態における該収納部へ装着するための装着部と、前記収納部に装着されたことを検出する検出部と、を備えるレンズキャップであればよく、上記した実施例に限定されるものではない。
【００８７】
また、上記した実施例（変形例も含む）では、表示部２４に装着状態である旨の文章を表示（警告表示）させることにより装着状態である旨の報知を行うものとされていたが、使用者に装着状態である旨を認識させることができるものであれば、例えば、ランプの点灯による報知であってもよく、音による報知であってもよく、上記した実施例に限定されるものではない。また、表示部２４における表示の態様は、使用者に装着状態である旨を認識させることができるものであればよく、上記した実施例に限定されるものではない。
【００８８】
さらに、上記した実施例（変形例も含む）では、キャップ側連結部５１の内縁突起部分５４に固定された前端部５２が導電性を有する金属材料により形成されていたが、端子取付部分５６の第１端子５７と第２端子５８とを互いに導通させる観点からは導電性を有する材料であればよく、上記した実施例に限定されるものではない。加えて、端子取付部分５６の第１端子５７と第２端子５８とを、例えば電線を掛け渡すことにより互いに導通させる構成とすれば、導電性を有さない材料であってもよく、上記した実施例に限定されるものではない。
【００８９】
上記した実施例（変形例も含む）では、レンズキャップ５０のキャップ側連結部５１と、レンズ鏡胴１３の鏡胴側連結部３５と、がバヨネット式の装着機構を構成するものとされていたが、レンズキャップ５０のレンズ鏡胴１３（デジタルカメラ１０）への装着および分離を可能とすべくキャップ側連結部と鏡胴側連結部との連結およびその解除を可能とするものであれば、例えば、弾性部材から押されつつ移動自在とされた突起を穴に嵌め込む構成や、筒状箇所の内方に円柱状箇所を嵌め入れる構成であってもよく、上記した実施例に限定されるものではない。
【００９０】
上記した実施例（変形例も含む）では、表示部２４に装着状態である旨の文章を表示（警告表示）させることにより装着状態である旨の報知を数秒間行った後、その表示を停止する構成とされていたが、何らかの操作が為されるまで装着状態である旨の報知を継続するものであってもよく、上記した実施例に限定されるものではない。
【００９１】
上記した実施例では、制御部２１における検出報知の制御処理（図１０参照）において、導通検知工程を行った後に起動検知工程を行っていたが、電源ボタン１４がＯＮ状態とされたことを検知してからデジタルカメラ１０を起動させるまでの間にレンズキャップ５０が装着されているか否かの判断を行うものであれば、順番は逆であってもよく、上記した実施例に限定されるものではない。
【００９２】
上記した実施例（変形例も含む）では、装着検知部４０が電気的な接続の４通りの状態を検知する構成とされていたが、レンズキャップ５０の検出部（端子取付部分５６）が接触されることにより、電気的な接続が為された旨を判断するものであればよく、上記した実施例に限定されるものではない。
【００９３】
以上、本発明のレンズキャップ、そのレンズキャップが装着される撮像装置、およびそのレンズキャップと撮像装置とを備える撮像装置システムを実施例（変形例も含む）に基づき説明してきたが、具体的な構成については実施例に限られるものではなく、本発明の要旨を逸脱しない限り、設計の変更や追加等は許容される。
【符号の説明】
【００９４】
１０  （撮像装置の一例としての）デジタルカメラ
１３  レンズ鏡胴
２１  制御部
３１  固定筒
３２  （可動筒の一例としての）回転筒
３３  （可動筒の一例としての）直進筒
３５  鏡胴側連結部
４０  装着検知部
４１  （収納部側接点の一例としての）第１端子
４２  （収納部側接点の一例としての）第２端子
４３  （収納部側接点の一例としての）第３端子
５０  レンズキャップ
５１  （装着部の一例としての）キャップ側連結部
５２  保護本体部
５６  （検出部の一例としての）端子取付部分
５７  （レンズキャップ側接点の一例としての）第１端子
５８  （レンズキャップ側接点の一例としての）第２端子
ＯＡ  （光軸の一例としての）撮影光軸
【先行技術文献】
【特許文献】
【００９５】
【特許文献１】特開平０４−１２８７２９号公報
【図１】
2013061519.tif 000003
【図２】
2013061519.tif 000004
【図３】
2013061519.tif 000005
【図４】
2013061519.tif 000006
【図５】
2013061519.tif 000007
【図６】
2013061519.tif 000008
【図７】
2013061519.tif 000009
【図８】
2013061519.tif 000010
【図９】
2013061519.tif 000011
【図１０】
2013061519.tif 000012
【図１１】
2013061519.tif 000013
【図１２】
2013061519.tif 000014
【図１３】
2013061519.tif 000015
【図１４】
2013061519.tif 000016
【図１５】
2013061519.tif 000017
【図１６】
2013061519.tif 000018
【図１７】
2013061519.tif 000019
【図１８】
2013061519.tif 000020
【図１９】
2013061519.tif 000021
【図２０】
2013061519.tif 000022
【図２１】
2013061519.tif 000023